(57)【要約】【課題】決められた箇所以外から雨水が流れ落ちるのを防止した安価かつ保守や点検に手数を要さない庇を提供する。【解決手段】庇は、中空の庇板２の開放された前端面２９を塞ぐように全幅にわたって前縁板４が取り付けられたものである。前縁板４は、庇板２の開放された前端面２９に当接され前面が雨水を下方へ導くガイド面４０ａとなっている縦板部４０と、庇板２の上面に当接され上面が雨水を縦板部４０のガイド面４０ａへ導くガイド面４１ａとなっている横板部４１とが一体に形成されて成る。縦板部４０の下部内面には全幅にわたる凹部４４が形成されている。凹部４４は開口部分の上部が庇板２の中空部と連通するように庇板２の開放された前端面２９と対向し、開口部分の下部が外部と連通するように庇板２の下方へ突き出ている。【選択図】図２
2010209578.tif 000002
【特許請求の範囲】
【請求項１】
上下に対向する板面間に中空部を備える庇板と、建物の外壁面に取り付けられ庇板を前方へ張り出した状態で庇板の後端部を保持する保持枠と、庇板の開放された前端面を塞ぐように全幅にわたって取り付けられる前縁板とを備えた庇であって、
前記前縁板は、庇板の開放された前端面に当接され前面が雨水を下方へ導くガイド面となっている縦板部と、庇板の上面に当接され上面が雨水を前記縦板部のガイド面へ導くガイド面となっている横板部とが一体に形成されて成り、前記縦板部の下部内面には、全幅にわたる凹部が形成され、凹部は開口部分の上部が庇板の中空部と連通するように庇板の開放された前端面と対向し、開口部分の下部が外部と連通するように庇板の下方へ突出して成る庇。
【請求項２】
前記縦板部の凹部は、両側端が開放され、凹部の開口下端縁は庇板の前端面の下方に被さるように突き出ている請求項１に記載された庇。
【請求項３】
前記縦板部の下端面は、後側が前側より低くなるようい傾斜させている請求項２に記載された庇。
【請求項４】
前記横板部の先端面は、斜め上向きのテーパ面に形成されている請求項１に記載された庇。
【発明の詳細な説明】
【技術分野】
【０００１】
この発明は、建物の外壁面より庇板が前方へ張り出すように設置される庇に関する。
【背景技術】
【０００２】
従来、その種の庇として、建物の外壁面に取り付けた保持枠に庇板の後端部を全幅にわたって保持させた構造のものがある。庇板は全体が一枚構成のものの他、複数の板材を幅方向に連結して構成されたものがある（例えば、特許文献１参照）。
【先行技術文献】
【特許文献】
【０００３】
【特許文献１】特許第３８５４６２６号公報
【０００４】
この庇の庇板は、図９に示すように、側端面を互いに突き合わせるようにして幅方向へ連結される複数の板材２０，２１，２２により構成されている。各板材２０，２１，２２は、アルミニウムの押出成形により形成された中空体であり、中間位置の各板材２０は両側端面が、両側位置の各板材２１，２２は内側端面が、それぞれ隣の板材と係脱が可能な構造となっている。庇板２の後端部は、建物の外壁面に取り付けられた長手状の保持枠３により全幅にわたって保持されている。
【０００５】
庇板２の前端縁には樋板９が全幅にわたって装着されている。この樋板９は、図１１に示すように、庇板２を構成する全ての板材２０，２１，２２の前端面に当接させてネジ９９により止着される後板部９１と、後板部９１と対向位置する前板部９２と、各板材２０，２１，２２の下面に突き当てる突出部９３と、前板部９２と後板部９１との間に第１の樋溝９５ａを、後板部９１と突出部９３との間に第２の樋溝９５ｂを、それぞれ形成するための底板部９４とを備えている。第１、第２の各樋溝９５ａ，９５ｂは上面が開放され、第２の樋溝９５ｂは各板材２０，２１，２２の中空内部と連通している。第１、第２の各樋溝９５ａ，９５ｂの両端は、図９および図１０に示すように、それぞれ開口しており、庇板２の上面を伝って第１の樋溝９５ａに流れ込んだ雨水は両端の開口部９６，９６より外部へ放出され、庇板２の中空内部を通って第２の樋溝９５ｂに流れ込んだ雨水は両端の開口部９７，９７より流れ落ちる。
【発明の概要】
【発明が解決しようとする課題】
【０００６】
しかしながら、上記した構成の庇では、樋板９の幅ｗだけ庇板２の前方へ余分に突き出るため（図１０）、庇の全長が必要以上に長くなる。また、樋板９は第１、第２の樋溝９５ａ，９５ｂを備えているので、形状が大きくなりかつ構造も複雑化し、庇がコスト高となる。さらに、第１、第２の各樋溝９５ａ，９５ｂは上面が開放されているので、塵芥が堆積し易く、頻繁な保守、点検が必要となる。さらにまた、第２の樋溝９５ｂに塵芥が堆積して雨水の通路が塞がれると、突出部９３と庇板２の下面との隙間９８より雨水が外部へ浸出し、決められた箇所以外の随所から雨水が漏れ出て流れ落ちるという問題がある。
【０００７】
この発明は、上記の問題に着目してなされたもので、従来の樋板に代えて、第１の樋溝に相当する構成のない前縁板を用いることにより、小型化と構造の簡易化とを実現し、決められた箇所以外から雨水が流れ落ちるのを防止した安価かつ保守や点検に手数を要さない庇を提供することを目的とする。
【課題を解決するための手段】
【０００８】
この発明による庇は、上下に対向する板面間に中空部を備える庇板と、建物の外壁面に取り付けられ庇板を前方へ張り出した状態で庇板の後端部を保持する保持枠と、庇板の開放された前端面を塞ぐように全幅にわたって取り付けられる前縁板とを備えている。前記前縁板は、庇板の開放された前端面に当接され前面が雨水を下方へ導くガイド面となっている縦板部と、庇板の上面に当接され上面が雨水を縦板部のガイド面へ導くガイド面となっている横板部とが一体に形成されて成るものである。前記縦板部の下部内面には、全幅にわたる凹部が形成され、凹部は開口部分の上部が庇板の中空部と連通するように庇板の開放された前端面と対向し、開口部分の下部が外部と連通するように庇板の下方へ突出している。
【０００９】
上記した構成の庇において、庇板の上面に溜まった雨水は、庇板の上面を伝って前縁板まで導かれ、前縁板の横板部のガイド面を経て縦板部のガイド面に導かれる。縦板部のガイド面に至った雨水はそのガイド面を伝って下方へ流下し、縦板部の下端より落下する。庇板の内部に浸入した雨水は庇板の中空部を前端面に向けて流れ、開放された前端面より前縁板の縦板部の凹部内に流れ込んだ後、凹部から溢れ出て縦板部の下端より落下する。庇板の上面を伝って前縁板まで導かれた雨水のうち、庇板と前縁板の横板部との隙間より浸入した雨水は前縁板の縦板部の内面を伝って下方へ流下し、凹部内に流れ込んだ後、凹部から溢れ出て縦板部の下端より落下する。このように、庇板の内部を流れてきた雨水も庇板の上面を流れてきた雨水も同じ箇所、すなわち、前縁板の縦板部の下端より流れ落ちる。縦板部の凹部は縦板部の内面の側に開口しているので、塵芥が溜まりにくく、仮に塵芥が付着しても雨水により外部へ洗い流される。
【００１０】
この発明の上記した構成において、庇板は全体が一枚構成の中空体であってもよく、複数の中空体の板材を連結して構成されたものであってもよい。複数の中空体の板材をもって構成する場合、庇の軽量化を実現するために、各板材はアルミニウムの押出型材を用いるのが望ましい。
【００１１】
この発明の好ましい実施態様では、前記縦板部の凹部は両側端が開放され、凹部の開口下端縁は庇板の前端面の下方に被さるように突き出ている。この実施態様においては、凹部の開口下端縁によって庇板の前端面が下方より見えない目隠し状態になっているので、庇の見栄えの低下が防止される。
【００１２】
上記した実施態様において、前記縦板部の下端面は後側が前側より低くなるように傾斜させている。この実施態様においては、庇板の上面を流れる雨水は前縁板の前記した横板部のガイド面および縦板部のガイド面を経て縦板部の下端に達した後、縦板部の下端面の傾斜下端より庇板の内部を流れてきた雨水と一緒になって外部へ流れ落ちる。
【００１３】
この発明の好ましい実施態様においては、前記横板部の先端面は斜め上向きのテーパ面に形成されている。この実施態様においては、庇板の上面を伝って前縁板まで導かれた雨水は横板部のテーパ面よりガイド面に乗り上がるので、庇板の上面を伝う雨水の流れは円滑となる。
【発明の効果】
【００１４】
この発明によると、庇板の開放された前端面を塞ぐように全幅にわたって前縁板を取り付けた構造としたから、従来例のような樋溝に相当する構成がなく、庇板の前方への突出部分をなくすことができる。このため、庇の全長が必要以上に長くならず、構造の複雑化を招くおそれもない。また、上面が開口した樋溝が存在しないので、塵芥が堆積するおそれがなく、保守、点検を頻繁に行う必要がない。さらに、凹部に塵芥が付着しても雨水が塵芥を洗い流すので、塵芥の堆積による不都合、すなわち、雨水の通路が塞がれて決められた箇所以外の隙間部分から雨水が流れ落ちるのを防止できる。
【図面の簡単な説明】
【００１５】
【図１】この発明の一実施例である庇の外観を示す斜視図である。
【図２】庇板の中間を省略した図１の実施例の側面図である。
【図３】図１のＡ−Ａ線に沿う断面図である。
【図４】保持枠による板材の保持状態を示す断面図である。
【図５】保持枠の保持溝へ板材を差し込む状態を示す断面図である。
【図６】上下のカバーを外した状態での図４のＢ−Ｂ線に沿う断面図である。
【図７】前縁板の構成を示す断面図である。
【図８】庇の施工状態を示す斜視図である。
【図９】従来の庇の外観を示す斜視図である。
【図１０】従来の庇の側面図である。
【図１１】従来の庇における樋板の構成を示す断面図である。
【発明を実施するための形態】
【００１６】
図１および図２は、この発明の一実施例である庇１の外観を示している。            
図示の庇１は、建物の外壁面１０から前方へ張り出すように設置される庇板２と、建物の外壁面１０に固着され庇板２を前方へ張り出した状態で庇板２の後端部を保持する保持枠３と、庇板２の開放された前端面２９を塞ぐように全幅にわたって取り付けられる前縁板４とで構成されている。庇板２、保持枠３、および前縁板４を構成する各部材はアルミニウムの押出型材が用いられる。なお、図中、４９は前縁板４の両端面に被せられる端枠部材である。
【００１７】
庇板２は、図１および図３に示すように、側端面を互いに突き合わせるようにして幅方向へ連結される複数の中間板材２０と、両側位置の中間板材２０の外側端面にそれぞれ装着される側板材２１，２２とで構成されている。各中間板材２０および各側板材２１，２２は、アルミニウムの押出成形により形成され、各板材の上下に対向する上板部２ａと下板部２ｂとの間は全長にわたる中空部となっている。
【００１８】
各中間板材２０は、一方の側端面に第１の係合部２４を、他方の側端面に第２の係合部２５を、それぞれ備えている。また、各側板材２１，２２のうち、一方の側板材２１は内側端面に第１の係合部２４を備え、他方の側板材２２は内側端面に第２の係合部２５を備えている。各中間板材２０の第１の係合部２４は他の中間板材２０または側板材２２の第２の係合部２５と係脱可能である。各中間板材２０の第２の係合部２５は他の中間板材２０または側板材２１の第１の係合部２４と係脱可能である。
【００１９】
各中間板材２０の内部には、長さ方向に沿う２個の取付溝２３，２３がほぼ左右対称位置に形成されている。各取付溝２３には、長さ方向の強度を保つために、中間板材２０の厚さおよび長さに応じた幅および長さを有する鉄板製の補強板９が縦向きにして挿入されて支持されている。各中間板材２０の内部には補強のためのリブ２７も設けられている。なお、補強板９は必ずしも必要でなく、張出し量の大きさに応じて適宜用いる。
【００２０】
前記保持枠３は、庇板２の全幅とほぼ一致する長さを有するもので、図４に示すように、建物の外壁面１０に沿ってアンカーボルト７により止め固定される背板部３１と、背板部３１の前面のほぼ中央部に保持溝８を挟んで上下に対向するように庇板２の全幅に対応する長さに一体形成された一対の保持板部３０Ａ，３０Ｂとを備えている。各保持板部３０Ａ，３０Ｂは可撓性を有し、後述するボルト６およびナット６０による内向きの締付力が作用したとき、内側へわずかに撓んで弾性変形するようにその厚みや突出長さが設定されている。
【００２１】
保持溝８は、図５に示すように、庇板２を構成する各板材２０〜２２の基端部を前方より差し込むことが可能な溝幅を有し、前面が全長にわたって開放されている。上側の保持板部３０Ａはわずかに上開きとなるように、また、下側の保持板部３０Ｂはわずかに下開きとなるように、それぞれ背板部３１の前面より突出しており、上下の保持板部３０Ａ，３０Ｂ間の保持溝８は、溝底から溝開口に向けて次第に広がった溝形状になっている。保持溝８の溝底での溝幅ｄ１は庇板２を構成する各板材２０〜２２の基端部の厚みとほぼ一致し、従って、保持溝８の溝開口部での溝幅ｄ２は、ｄ２＞ｄ１である。
【００２２】
この保持枠３には、庇板２の基端部を上方および下方より覆って保持枠３やボルト６およびナット６０を外部から見えないようにするための上カバー３２および下カバー３３が装着される。上カバー３２や下カバー３３はアルミニウムの押出型材である。なお、保持枠３の両側端面は端板５，５により塞がれている（図１および図２）。
【００２３】
保持枠３の背板部３１の上端縁には斜め前方へ突出する第１の係合突部３５ａが、下端縁には下方へ突出する第２の係合突部３５ｂが、それぞれ全幅にわたり形成されている。第１の係合突部３５ａには上カバー３２の一端縁が係合し、第２の係合突部３５ｂには下カバー３３の一端縁が係合する。また、下側の保持板部３０Ｂの先端面には下カバー３３の他端縁が係合する係合凹部３６が全幅にわたって形成されている。背板部３１には、上下の保持板部３０Ａ，３０Ｂの間に、アンカーボルト７が挿入されるボルト挿通孔７１が一定間隔毎に横一列に設けられている。
【００２４】
上下の各保持板部３０Ａ，３０Ｂには、長さ方向に沿う複数の対向する位置に、図４〜図６に示すように、各保持板部３０Ａ，３０Ｂを上下に貫通するボルト止め孔６１，６２がそれぞれ形成されるとともに、庇板２を構成する各側板材２１，２２および各中間板材２０の基端部であって保持板部３０Ａ，３０Ｂの各ボルト止め孔６１，６２に対応する位置に、ボルト止め孔６１，６２に連通するボルト通し孔６３，６４が各板材の上板部２ａおよび下板部２ｂを貫通して形成されている。
【００２５】
前記のボルト６は、上側の保持板部３０Ａの上方よりボルト止め孔６１へ挿入され、上側の保持板部３０Ａのボルト止め孔６１、側板材２１，２２または中間板材２０のボルト通し孔６３，６４、および下側の保持板部３０Ｂのボルト止め孔６２を一連に貫通する。下側の保持板部３０Ｂの下方へ突出したボルト６の先端部にはナット６０がネジ込まれて締め付けられる。なお、図中、６６はボルト６の頭部６５と上側の保持板材３０Ａとの間に介在させる座金であり、６７は下側の保持板材３０Ｂとナット６０との間に介在させる座金である。
【００２６】
ナット６０を締め付けた状態のとき、上下の保持板材３０Ａ，３０Ｂは内側へわずかに撓んで弾性変形するもので、各保持板材３０Ａ，３０Ｂは庇板２を構成する側板材２１，２２や中間板材２０の上板部２ａおよび下板部２ｂにかなり広範囲にわたり接触して各板材を挟持する。
【００２７】
なお、図４において、３７は上カバー３２の上端縁と建物の外壁面１０との間に庇板２の全幅にわたって嵌め込まれるコーキング材、３８は上カバー３２の下端縁と庇板２の上面との間に庇板２の全幅にわたって嵌め込まれるコーキング材である。これらのコーキング材３７，３８によって雨水の浸入が阻止される。また、３４は前記端板５をビス止めするために上下の各カバー３２，３３に設けられたビス止め孔である。
【００２８】
庇板２の開放された前端面２９、すなわち、各中間板材２０および各側板材２１，２２の各前端面は、図７に示すように、上板材２ａの上面および下板材２ｂの下面に対して直角に切断されて成るものであり、この庇板２の前端面２９に前記した前縁板４が装着されている。
図示例の前縁板４は、庇板２の開放された前端面２９に当接しフラットな前面が雨水を下方へ導くガイド面４０ａとなっている縦板部４０と、庇板２の上面に当接され上面が雨水を縦板部４０のガイド面４０ａへ導くガイド面４１ａとなっている横板部４１とが一体に形成されたものである。以下の説明では、横板部４１のガイド面４１ａを「第１ガイド面４１ａ」、縦板部４０のガイド面４０ａを「第２ガイド面４０ａ」という。
【００２９】
縦板部４０および横板部４１はそれぞれ一定の肉厚を有する平板であり、横板部４１は縦板部４０より小さな厚みに設定されている。縦板部４０と横板部４１とは、庇板２の前端面２９が上板材２ａの上面および下板材２ｂの下面に対して直角に切断されているので、この切断角度に合わせて互いに直角をなすように形成されているが、庇板２の前端面２９が、図中、一点鎖線で示すように、斜めに切断されている場合には、縦板部４０と横板部４１とのなす角度が庇板２の前端面２９の斜めの切断角度に応じた角度（鈍角）となるように前縁板４が形成される。
【００３０】
横板部４１は各中間板材２０および各側板材２１，２２の上板材２ａの上面にねじ４３によってそれぞれ固着され、これにより前縁板４は庇板２の前端部に取り付け固定されている。図中、２ｃは各中間板材２０および各端板材２１，２２に形成されたネジ孔、４５は各ネジ孔２ｃに対応する位置に形成されたネジ４３の頭部を支持する支持孔である。前縁板４の横板部４１は先端面が斜め上向きのテーパ面４１ｂに形成されており、このテーパ面４１ｂを介して庇板２の上面と横板部４１の第１ガイド面４１ａとが連続している。
【００３１】
前縁板４の縦板部４０の下部内面には全幅にわたって樋状の凹部４４が形成されている。凹部４４の開口部分の幅は全長にわたって一定であり、凹部４４の両側端は開放されている。凹部４４の開口下端縁４７は庇板２の前端面２９の下方に被さるように突き出ており、開口下端縁４７と庇板２の下面との間には雨水が流れ出るための隙間４６が形成されている。凹部４４は開口部分の上部が庇板２の中空部と連通するように庇板２の開放された前端面２９と対向している。凹部４４の開口部分の下部は外部と連通するように庇板２の下方へ突き出ている。
縦板部４０の下端面４０ｂは後側が前側より低くなるように傾斜させており、第２ガイド面４０ａを流下した雨水が縦板部４０の下端面４０ｂの傾斜を伝って開口下端縁４７へ導かれるようになっている。
【００３２】
上記した構成の庇１を建物の外壁面１０に設置するには、まず、外壁面１０に保持枠３をアンカーボルト７により固着する。つぎに、図８に示すように、庇板２を構成する全ての中間板材２０および側板材２１，２２の後端部を保持枠３に順次固定して庇板２を組み立てた後、庇板２の開放された前端面２９に前縁板４を装着する。庇板２の組み立てには、保持枠３の上下に対向する保持板部３０Ａ，３０Ｂ間の保持溝８へ各板材２０〜２２の後端部を順次差し込んで保持枠３に固定する。
【００３３】
上記した構成の庇１において、図２に示すように、庇板２の上面に溜まった雨水Ｐは、庇板２の上面を伝って前端の前縁板４まで導かれ、横板部４１の第１ガイド面４１ａを経て縦板部４０の第２ガイド面４０ａに導かれる。この場合に、前縁板４の横板部４１の先端面が斜め上向きのテーパ面４１ｂに形成されているので、庇板２の上面を伝って前端の前縁板４まで導かれた雨水はテーパ面４１ｂによって第１ガイド面４１ａに乗り上がり、庇板２の上面を伝う雨水の流れが円滑となる。
縦板部４０の第２ガイド面４０ａに至った雨水は、第２ガイド面４０ａを伝って下方へ流下し、縦板部４０の下端より落下する。
【００３４】
庇板２の板材間の連結部分などから庇板２の中空内部に浸入した雨水Ｑは、庇板２の中空部を前端面２９に向けて流れ、開放された前端面２９より前縁板４の縦板部４０の凹部４４内に流れ込んだ後、凹部４４から溢れ出て縦板部４０の下端より落下する。
庇板２の上面を伝って前縁板４まで導かれた雨水Ｐのうち庇板２と前縁板４の横板部４１との隙間へ浸入した雨水は、前縁板４の縦板部４０の内面を伝って下方へ流下し、凹部４４内に流れ込んだ後、凹部４４から溢れ出て縦板部４０の下端より落下する。
縦板部４０の下端面４０ｂは後側が前側より低くなるように傾斜しているので、庇板２の上面を流れる雨水Ｐは前縁板４の前記した第１ガイド面４１ａおよび第２ガイド面４０ａを経て縦板部４０の下端に達した後、縦板部４０の下端面４０ｂの傾斜下端から庇板２の内部を流れる雨水Ｑや縦板部４０の内面を伝った雨水と一緒になって流れ落ちる。
縦板部４０の凹部４４は縦板部４０の内面側に開口しているので、塵芥が溜まりにくく、仮に塵芥が凹部４４内に付着しても雨水により外部へ容易に洗い流される。
【符号の説明】
【００３５】
１    庇
２    庇板
３    保持枠
４    前縁板
４０  縦板部
４０ａ  ガイド面（第２ガイド面）
４１  横板部
４１ａ  ガイド面（第１ガイド面）
４４  凹部
【図１】
2010209578.tif 000003
【図２】
2010209578.tif 000004
【図３】
2010209578.tif 000005
【図４】
2010209578.tif 000006
【図５】
2010209578.tif 000007
【図６】
2010209578.tif 000008
【図７】
2010209578.tif 000009
【図８】
2010209578.tif 000010
【図９】
2010209578.tif 000011
【図１０】
2010209578.tif 000012
【図１１】
2010209578.tif 000013